(57)【要約】液密断熱タンクは、タンクの内部空間を画定する複数のタンク壁を備える。固定および位置決め部材は、複数の断熱ブロック（８）の間に配置された突出要素（６２）と、断熱ブロックを支持壁に留めるため、突出要素に装着されるクランプ要素（３９）と、突出要素（６２）に係合し、支持壁とクランプ要素（３９）との間に配置され、支持壁の上向き方向（１００）に面する停止面（５）を含む位置決めチョック（６４）と、を備える。断熱ブロック（８）のうちの少なくとも１つの側面（１１）が、位置決めチョック（６４）の停止面（５）に当接して、位置決めチョックが断熱ブロックの側面を突出要素（６２）から所定の距離に保つ。
2019523368.tif 000002
【特許請求の範囲】
【請求項１】
タンクの内部空間を画定する複数のタンク壁を備えた液密断熱タンクであって、前記タンク壁が少なくとも１つの非水平タンク壁を含み、前記非水平タンク壁が、
非水平支持壁（１、２０４）と、
前記支持壁の内面に配置された複数の固定部材（１０、２１９）と、
前記支持壁の内面に繰り返しパターンで並置され、前記固定部材によって前記支持壁に固定された複数の断熱ブロック（８、２０６、９１、９６、９７、３０８）を含む断熱防壁と、
前記断熱防壁に担持された液密メンブレン（１２、２０７）と、
を備え、
前記固定部材が、固定および位置決め部材を備え、前記固定および位置決め部材が、断熱ブロック内または横の船舶の内部空間に向かって突出する突出要素（６２、３８、１５、９４、１０２、３３８）と、
前記突出要素に直接または間接的に装着され、前記断熱ブロックを前記支持壁に留めるため、前記突出要素が内側または横に配置される前記断熱ブロック（８、２０６、９１、９６、９７、３０８）と相互作用するように、前記突出要素に対して横方向に延在するクランプ要素（３９、６５）と、
前記突出要素（６２、３８、１５、９４、１０２）と相互作用し、前記タンク壁の厚み方向に前記クランプ要素（３９、６５、３３９）の上方または下方に配置された位置決めチョック（６４、１６、２５、３１、４４、５０、９３、８５、９９、３６４）であって、前記支持壁の上向き方向に面する停止面（５、２２、２７、２８、３３、３５、４８、５５、８８、８９、９５）を有し、前記上向き方向が前記支持壁の最大傾斜方向（１００）に平行または斜めである位置決めチョックと、
を備え、
前記位置決めチョックが、前記断熱ブロックの横面を前記突出要素（６２、３８、１５、９４、１０２、３３８）から所定距離に保つように、前記突出要素が内側または横に配置される前記断熱ブロック（８、２０６、９１、９６、９７、３０８）の側面（１１、７、９２、９８、３０９）が、前記位置決めチョックの停止面に当接する、タンク。
【請求項２】
固定および位置決め部材の前記突出要素（６２、３８、１５、９４、１０２）が、前記複数の並置された断熱ブロックの間に配置され、前記突出要素（６２、３８、１５、９４、１０２）を間に配置する前記断熱ブロックの少なくとも１つが、前記位置決めチョックの停止面に当接する外側面（１１、７、９２、９８）を有する、請求項１に記載のタンク。
【請求項３】
固定および位置決め部材の前記突出要素（３３８）が、前記断熱ブロックの縁部から距離を置いて、前記断熱ブロック（３０８）の厚さに形成されたハウジング（３０９、５９）内で係合し、前記ハウジング（３０９、５９）が前記断熱ブロックの内側面によって画定され、前記内側面が前記位置決めチョック（３６４）の停止面に当接する、請求項１または２に記載のタンク。
【請求項４】
前記停止面と前記少なくとも１つの断熱ブロックの側面とが、平面状であり平行である、請求項１〜３のいずれか一項に記載のタンク。
【請求項５】
前記位置決めチョック（２５）が、前記突出要素を収容するためのハウジング（２６）と、前記ハウジングから所定の第１の距離に位置し、前記ハウジングを中心に第１の方向に配向された第１の停止面（２７）と、前記ハウジングから所定の第２の距離に位置し、前記ハウジングを中心に第２の方向に配向された第２の停止面（２８）と、を備え、前記位置決めチョックが、前記第１の停止面が前記支持壁の上向き方向を向く第１の位置と、前記第２の停止面が前記支持壁の上向き方向を向く第２の位置とで前記突出素子に係合可能となるように構成される、請求項１〜４のいずれか一項に記載のタンク。
【請求項６】
前記第１の停止面（２７）および前記第２の停止面（２８）が、前記ハウジングの両側に配置された前記位置決めチョックの２つの平行な対向面である、請求項５に記載のタンク。
【請求項７】
前記固定および位置決め部材が、前記複数の並置された断熱ブロックの間に配置され、前記タンクの内側空間に向けて突出する少なくとも２つの突出要素（８３、８４）を備え、
前記位置決めチョック（８５）が、前記２つの突出要素を収容するために前記位置決めチョックの厚さ方向に前記位置決めチョックを横切る２つのハウジング（８６、８７）と、前記ハウジングのうちの第１のハウジングから所定の第１の距離（ｂ）に位置する第１の停止面（８８）と、前記ハウジングのうち第２のハウジングから所定の第２の距離（Ｂ）に位置する、前記第１の停止面と平行な第２の停止面（８９）と、を備え、前記位置決めチョックが、前記断熱ブロックの側面を収容するために前記第１の停止面が前記支持壁の上向き方向に向く第１の位置と、前記断熱ブロックの側面を収容するために前記第２の停止面が前記支持壁の上方に向く第２の位置とで、前記２つの突出要素に係合可能となるように構成され、前記第２の位置が前記第１の位置に対して変更される、請求項１〜４のいずれか一項に記載のタンク。
【請求項８】
前記位置決めチョック（３１）が、第１の停止面（３３、５２）として構成された側面を有する支持体（３２、４５、５１）と、前記第１の停止面と平行に前記第１の停止面に所定の厚さで搭載された調節インサート（３４、４７、５３）と、を備え、前記調節インサートの表面が、前記調節インサートの所定厚さ分、前記第１の停止面から離間した第２の停止面（３５、５５）として構成され、前記調節インサート（３４、４７、５３）が、前記第１の停止面を選択的に露出させる、または前記調節インサートで前記第１の停止面を覆うために前記支持体に着脱自在に装着されて、前記少なくとも１つの断熱ブロックの側面が、前記位置決めチョックの前記第１または第２の停止面に選択的に当接する、請求項１〜７のいずれか一項に記載のタンク。
【請求項９】
前記調節インサート（３４、４７、５３）が、接着結合、ねじ止め、スナップ嵌め、または入れ子によって前記支持体に装着される、請求項８に記載のタンク。
【請求項１０】
前記調節インサート（３４、４７）が調節バンドとして構成され、前記少なくとも１つの断熱ブロックの側面と前記突出要素との間の所定距離の調節を可能にするために、前記位置決めチョック（４４）が、前記調節バンドに着脱自在に重ねられた１つ以上の追加の調節バンド（４７）をさらに備える、請求項８または９に記載のタンク。
【請求項１１】
前記追加調節バンド（４７）が、接着結合、ネジ止め、スナップ嵌め、または入れ子によって、下にある調節バンドに装着される、請求項１０に記載のタンク。
【請求項１２】
前記調節インサート（５３）が、前記少なくとも１つの断熱ブロックの側面と突出要素との間の所定距離を調節するために、様々な寸法の所定群の調節インサートから選択される、請求項８〜９に記載のタンク。
【請求項１３】
前記位置決めチョック（１６、２５）が単独の部品として形成される、請求項１〜７のいずれか一項に記載のタンク。
【請求項１４】
前記位置決めチョック（１６、２５）が、前記少なくとも１つの断熱ブロックの側面と前記突出要素との間の前記所定距離を調節するため、様々な寸法の所定群の位置決めチョックから選択される、請求項１３に記載のタンク。
【請求項１５】
前記断熱ブロック（８、２０６、９１）が、複数の相互に平行な列（３、４）状に配置され、固定および位置決め部材（１０、１５）が、列の少なくとも２つの断熱ブロック（８、２０６）間の境界面に配置され、前記位置決めチョック（６４、１６、２５、３１、４４、５０）の前記停止面（５、２２、２７、２８、３３、３５、４８、５５、８８、８９）が該列の少なくとも２つの断熱ブロックの外側面と相互作用して、前記位置決めチョックが、該列の少なくとも２つの断熱ブロックのそれぞれの外側面を前記突出要素から所定の距離に保つ、請求項１〜１４のいずれか一項に記載のタンク。
【請求項１６】
前記固定および位置決め部材（１０、１５）が、前記固定および位置決め部材の上方の支持面に位置する前記断熱ブロックの上側列（３）と、前記固定および位置決め部材の下方の支持面に位置する前記断熱ブロックの下側列（４）との間に配置され、前記位置決めチョック（６４、１６、２５、３１、４４、５０）の前記停止面（５、２２、２７、２８、３３、３５、４８、５５、８８、８９）が、前記上側列の少なくとも２つの断熱ブロックのそれぞれの外側面と相互作用する、請求項１５に記載のタンク。
【請求項１７】
前記固定および位置決め部材（１０、１５）が、前記上側列（３）の少なくとも２つの断熱ブロック（８、２０６）の間の境界面と、前記下側列（４）の少なくとも２つの断熱ブロック（８、２０６）の間の境界面とに配置され、前記断熱ブロックを支持壁に留めるため、前記クランプ要素（３９、６５）が、前記上側列の少なくとも２つの断熱ブロックおよび前記下側列の少なくとも２つの断熱ブロックと相互作用するように構成される、請求項１６に記載のタンク。
【請求項１８】
前記クランプ要素（６５）が十字状である、請求項１７に記載のタンク。
【請求項１９】
前記支持壁が、前記液密断熱タンクを架設する担持構造の壁（１）である、請求項１〜１８のいずれか一項に記載のタンク。
【請求項２０】
厚さチョック（６３）が、前記固定および位置決め部材（１０）の突出要素（６２、３８）の周囲に、前記タンク壁の厚さ方向に前記担持構造と前記位置決めチョック（６４）との間に配置され、前記厚さチョック（６３）の内面が、間に前記突出要素を配置する前記断熱ブロック（８）上で、前記クランプ要素によって当接された状態を保つ、請求項１９に記載のタンク。
【請求項２１】
前記断熱防壁がタンク壁の主断熱防壁（２０５）であり、前記主断熱防壁に担持される液密メンブレンが主液密メンブレン（２０７）であり、前記タンク壁が副液密メンブレン（２０４）で覆われる副断熱防壁（２０１）をさらに含む、請求項１〜２０のいずれか一項に記載のタンク。
【請求項２２】
前記固定および位置決め部材の突出要素（１５）が、副断熱防壁（２０１）に固定され、副液密メンブレン（２０４）の内面よりも突出している、請求項２１に記載のタンク。
【請求項２３】
各断熱ブロック（８、２０６）が底板（１７、２９）を含み、前記位置決めチョックに当接する前記断熱ブロックの前記側面（１１、７）が、前記底板の側面を含む、請求項１〜２２のいずれか一項に記載のタンク。
【請求項２４】
前記底板（１７、２９）が、前記底板の４つの角部に凹状切り欠き（９、７）を有する全体的に矩形形状を有し、前記底板の凹状切り欠きの外側面が前記位置決めチョック（６４、１６、２５、３１、４４、５０）に当接する。請求項２３に記載のタンク。
【請求項２５】
前記底板の凹状切り欠き（９）が、前記底板（１７）の長さ方向および幅方向にそれぞれ平行な２つの外側面（１１、５６）を有し、前記位置決めチョック（６４）の２つの互いに直交する停止面（５、６）に当接するように配置される、請求項２４に記載の装置。
【請求項２６】
前記底板の凹状切り欠きが、前記底板の長さ方向および幅方向に対して斜めの外側面（９２）を含み、前記位置決めチョック（９３）の停止面（９５）に当接して配置される、請求項２４に記載のタンク。
【請求項２７】
低温流体製品の輸送用の船舶（７０）であって、船殻（７２）と、前記船殻内に配置される請求項１〜２６のいずれか一項に記載のタンクと、を備える船舶。
【請求項２８】
低温流体製品が、水上または陸上ベースの貯蔵設備（７７）と前記船舶のタンク（７１）との間で、断熱パイプライン（７３、７９、７６、８１）を介して搬送される、請求項２７に記載の船舶（７０）の積み降ろし方法。
【請求項２９】
請求項２７に記載の船舶（７０）と、前記船舶の船殻に設置された前記タンク（７１）を水上または陸上ベースの貯蔵設備（７７）と連結するように配置される断熱パイプライン（７３、７９、７６、８１）と、前記水上または陸上ベースの貯蔵設備と前記船舶のタンクとの間で、前記断熱パイプラインを介して低温流体製品流を推進させるポンプと、を備える低温流体製品移送システム。
【発明の詳細な説明】
【技術分野】
【０００１】
本発明は、メンブレンを備えた液密断熱タンクの分野に関する。特に、本発明は、低温液体の貯蔵および／または輸送用液密断熱タンク、たとえば、−５０℃〜０℃の液化石油ガス（ＬＰＧとも呼ばれる）の輸送用タンク、または大気圧で約−１６２℃の液化天然ガス（ＬＮＧ）の輸送用タンクの分野に関する。この種のタンクは、陸上または水上設備に設置することができる。水上設備の場合、タンクは、液化ガスを輸送する、または水上設備の推進用燃料としての液化ガスを収容することを目的とすることができる。
【背景技術】
【０００２】
たとえば、国際特許公開ＷＯ２０１３０９３２６２号、フランス特許２９７３０９８、または国際特許公開ＷＯ２０１６０４６４８７号は、タンクの内部空間を画定する複数のタンク壁を備える液密断熱タンクを開示しており、該タンク壁は、少なくとも１つの非水平壁を有し、非水平タンク壁は、
非水平支持壁と、
支持壁の内面に配置された複数の固定部材と、
支持壁の内面に繰り返しパターンで並置され、固定部材によって支持壁に固定された複数の断熱ブロックを含む断熱防壁と、
断熱防壁に担持された液密メンブレンと、
を備え、
各固定部材は、
複数の並置された断熱ブロックの間に配置され、タンクの内部空間に向かって突出する突出要素と、
突出要素に直接または間接的に装着され、前記支持壁に対して断熱ブロックを留めるため、突出要素を間に配置する断熱ブロックと相互作用するように横方向に延在するクランプ要素と、
を備える。
【０００３】
断熱ブロックの支持壁への固定が、非水平支持壁に対するクランプ、またはフランジ止めすることによってのみ達成される場合、重力と海上での船舶の移動による加速度との組み合わせによって、断熱ブロックが支持壁を摺動するのを防止することが望ましい。
【０００４】
実際に、そこから多くの欠点が生じる可能性がある。たとえば、断熱ブロックの断熱材料が、固定部材の一部に擦れて損傷したり、断熱ブロックの移動がホットスポットを生成し、断熱が途切れた場所で対流現象を促進することがある。さらに、このような運動は、液密メンブレンに追加の延長部を局所的に生成して、その延長部が断熱ブロックに固定される場合には望ましくない応力集中を引き起こす場合がある。
【発明の概要】
【０００５】
本発明の基本となる１つの概念は、これらの欠点の少なくともいくつかを解決するメンブレンタンク壁構造を提供することである。本発明の基本となる別の概念は、信頼性と簡潔性が両立したメンブレンタンク壁構造を製造することである。
【０００６】
この目的のため、本発明は、タンクの内部空間を画定する複数のタンク壁を備える液密断熱タンクを提供し、該タンク壁は、少なくとも１つの非水平タンク壁、特に、陸上の重力場に対して垂直であるまたは傾斜するタンク壁を含み、非水平タンク壁は、
非水平支持壁と、
支持壁の内面に配置された複数の固定部材と、
支持壁の内面に繰り返しパターンで並置され、固定部材の支持壁手段に固定された複数の断熱ブロックを含む断熱防壁と、
断熱防壁に担持された液密メンブレンと、
を備え、
固定部材が１つ以上の固定および位置決め部材を備える。
【０００７】
実施形態に応じて、この種のタンクは、以下の特徴のうちの１つ以上を含むことができる。
一実施形態によると、各固定および位置決め部材は、
断熱ブロック内または１つ以上の断熱ブロックの横のタンクの内側空間に向かって突出する突出要素と、
突出要素に直接または間接的に装着され、支持壁に対して断熱ブロックを留めるため、突出要素を間に配置する断熱ブロック内または横で断熱ブロックと相互作用するように突出要素に対して横方向に延在するクランプ要素と、
突出要素と相互作用し、たとえば、突出要素と係合し、タンク壁の厚さ方向にクランプ要素の上方（すなわち、タンクの内部に向かって）または下方（すなわち、タンクの外部に向かって）配置された位置決めチョックであって、支持壁の上向き方向に面する停止面を有し、上向き方向が支持壁の高傾斜方向に平行または斜めな方向（すなわち、地上の重力場に対して上昇する方向）である位置決めチョックと、
を備え、
突出要素を内または横に配置する断熱ブロックの少なくとも１つの内側面または外側面が位置決めチョックの停止面に当接するため、位置決めチョックが、少なくとも１つの断熱ブロックの側面を突出要素から所定距離に保つ。
【０００８】
これらの特性により、断熱ブロック内または横に配置された固定部材に対して、断熱ブロックまたは断熱ブロックの少なくともいくつかを確実に位置決めして、断熱ブロックが支持壁の底部に向かって摺動するのを防止することができる。したがって、断熱ブロックによって形成される繰り返しパターンは、完全に周期的な周期パターンよりも正確に、ある割合のずれを吸収するように達成することができる。このようなずれは、具体的には、液密断熱タンクが架設される担持構造の壁であり得る支持壁、または副液密メンブレンで覆われた副断熱防壁の製造公差に起因する。
【０００９】
また、位置決めチョックは、完全に周期的パターンよりも不一致を吸収するため、支持壁の水平方向で断熱ブロックを位置決めする機能を果たすこともできる。
【００１０】
位置決めチョックは、突出要素に様々な様式で装着することができる。一実施形態によると、位置決めチョックは、支持壁とクランプ要素との間で突出要素上に配置されて、タンク壁へ位置決めチョックの簡単かつ確実に固定することができる。実際には、位置決めチョックがタンクの耐用年数の間に誤って外れてはならないことが重要である。
【００１１】
この種のタンクの製造中、特に製造公差のせいで生じる可能性のある様々な範囲のずれを吸収できるように、様々な寸法の広範な位置決めチョックを持ち合わせておくことが望ましい。
【００１２】
一実施形態によると、位置決めチョックは、少なくとも１つの断熱ブロックの側面と突出要素との間の所定距離を調節するため、様々な寸法を有する所定群の位置決めチョックから選択される。この種の群は、たとえば１または数ミリメートルの目盛りを有する所定のスケールに沿って規則的に寸法を増やしながら製造することができる。
【００１３】
一実施形態によると、位置決めチョックは、突出要素を収容するハウジングを有する。このハウジングは、たとえば、位置決めチョックの厚さ方向に位置決めチョックを左右に方向転換させることができる。
【００１４】
一実施形態によると、たとえば断熱ブロックの厚さおよび／または幅方向に平行な第１の停止面は、ハウジングから所定の第１の距離に位置し、ハウジングを中心に第１の方向に配向され、第２の停止面は、ハウジングから所定の第２の距離に位置し、ハウジングを中心に第２の方向に配向され、位置決めチョックは、第１の停止面が支持壁の上向き方向を向く第１の位置と、第２の停止面が支持壁の上向き方向を向く第２の位置とで突出素子に係合可能となるように構成される。
【００１５】
よって、１つの同じ位置決めチョックを使用して、吸収すべきずれの大きさに応じて２つの異なる調節を行うことができることによって、タンクの製造に使用されなければならない様々な位置決めチョックの在庫を制限することができる。
【００１６】
一実施形態によると、第１の停止面および第２の停止面は、ハウジングの両側に配置される位置決めチョックの２つの平行な対向面である。
【００１７】
一実施形態によると、それぞれの固定および位置決め部材は、複数の並置された断熱ブロックの間に配置され、タンクの内部空間に向かって突出する少なくとも２つの突出要素を備える。
【００１８】
この場合、位置決めチョックは、２つの突出要素を収容するために位置決めチョックの厚さ方向に位置決めチョックを横切る２つのハウジングと、ハウジングのうちの第１のハウジングから所定の第１の距離に位置する、厚さ方向に平行な第１の停止面と、ハウジングのうち第２のハウジングから所定の第２の距離に位置する、第１の停止面と平行な第２の停止面と、を備え、位置決めチョックが、断熱ブロックの側面を収容するために第１の停止面が支持壁の上向き方向に向く第１の位置と、断熱ブロックの側面を収容するために第２の停止面が支持壁の上方に向く第２の位置とで、２つの突出要素に係合可能となるように構成され、第２の位置が第１の位置に対して変更される。
【００１９】
位置決めチョックは、おそらく、単独の部品として、または複数の部品として形成される。
【００２０】
複数の部品を備える一実施形態によると、位置決めチョックは、第１の停止面として構成された側面を有する支持体と、第１の停止面と平行に第１の停止面に所定の厚さで装着された調節インサートまたは調節バンドと、を備え、調節インサートの表面は、調節インサートまたは調節バンドの所定の厚さ分、第１の停止面から離間した第２の停止面として構成され、調節インサートまたは調節バンドは、第１の停止面を選択的に露出させる、または調節インサートまたは調節バンドで第１の停止面を覆うように支持体に着脱自在に装着されるため、少なくとも１つの断熱ブロックの側面が、位置決めチョックの第１または第２の停止面に選択的に当接する。
【００２１】
この場合、少なくとも１つの断熱ブロックの側面と突出要素との間の所定距離の調節を可能にするため、位置決めチョックは、調節バンドに着脱自在に重ねられた１つ以上の追加の調節バンドをさらに備えることができる。
【００２２】
よって、１つの同じ位置決めチョックを使用して、吸収すべきずれの大きさに応じて２つまたはそれ以上の異なる調節を行うことができるため、タンクの製造に使用しなければならない様々な位置決めチョックの在庫を制限することができる。調節インサートまたは調節バンドおよび／または追加の調節バンドは、任意の適切な方法、たとえば接着結合、ねじ止め、スナップ嵌め、または入れ子によって支持体に装着することができる。
【００２３】
複数の部品を備える別の実施形態によると、支持体は第１のアタッチメントを有し、調節インサートは、調節インサートを支持体に装着するために第１のアタッチメントへの着脱可能な装着に適した第２のアタッチメントとして構成される側面を有する。調節インサートは、第２のアタッチメントの反対側に位置する第２の停止面として構成された側面を有する。
【００２４】
この場合、調節インサートは、少なくとも１つの断熱ブロックの側面と突出要素との間の所定距離を調節するため、様々な寸法の所定群の調節インサートから選択することができる。この種の群は、たとえば１または数ミリメートルの目盛りを有する所定のスケールに沿って規則的に寸法を増やしながら製造することができる。
【００２５】
第１のアタッチメントと第２のアタッチメントは、たとえば、ほぞおよびほぞ穴、ねじおよびねじ穴、雄係合および雌係合など、様々な様式で製造することができる。
【００２６】
少なくとも１つの断熱ブロックの停止面および側面は、様々な幾何学的形状を有することができる。好ましくは、少なくとも１つの断熱ブロックの停止面および側面は、平面状であり平行である。
【００２７】
断熱ブロックは、様々な様式で製造することができる。一実施形態によると、１つまたは各平行六面体の断熱ブロックは、断熱パッキンを収容するケーソンを含み、ケーソンは、底板、カバー板、および任意で底板とカバー板の間に延びる側板を備える。別の実施形態によると、１つまたは各平行六面体の断熱ブロックは、底板およびカバー板を備え、その間に断熱パッキンを形成する発泡体ブロックが挿入される。
【００２８】
好ましくは、１つまたは各断熱ブロックは底板を備え、位置決めチョックに当接する断熱ブロックの側面は、底板の側面を含む。よって、位置決めチョックは、底板と同じ高さの支持面上に簡易に配置することができる。
【００２９】
この場合、底板は、底板の４つの角部に凹状切り欠きを有し全体的に矩形であってもよく、底板の凹状切り欠きの外側面は位置決めチョックに当接する。
【００３０】
一実施形態によると、底板の凹状切り欠きは、底板の長さ方向および幅方向にそれぞれ平行であり、位置決めチョックの２つの互いに直交する停止面に当接するように配置された２つの外側面を含む。
【００３１】
別の実施形態によると、底板の凹状切り欠きは、底板の長さ方向および幅方向に対して斜めであり、位置決めチョックの停止面に当接するように配置された外側面を含む。
【００３２】
一実施形態によると、各タンク壁の液密メンブレンは、第１の方向に延びる第１の一連の波形と、第１の方向に対して垂直な第２の方向に延びる第２の一連の波形とを含む。
【００３３】
液密メンブレンの波形は、様々な様式で形成することができる。実施形態によると、波形は平面部に対してタンクの内側に向かって突出する、または波形は平面部に対してタンクの外側に向かって突出し、断熱ブロックのカバー板に形成された溝に収容される。複数のメンブレンが存在する場合、上記実施形態を組み合わせることができる。
【００３４】
固定および位置決め部材は、断熱ブロックに対して様々な形で配置することができる。特に、固定および位置決め部材は、単独の断熱ブロックまたは複数の断熱ブロック、たとえば２つ、３つまたは４つの断熱ブロックを固定するため、または固定に寄与するために配置することができる。
【００３５】
固定および位置決め部材の一実施形態によると、突出要素は、複数の並置された断熱ブロックの間に配置され、突出要素を間に配置する１つ以上の断熱ブロックは、位置決めチョックの停止面に当接する外側面を有する。
【００３６】
一実施形態によると、断熱ブロックは、複数の互いに平行な列状に配置され、各列は、たとえばタンク壁の水平線に沿ってまたは斜めに延び、１つの固定および位置決め部材は、列内の少なくとも２つの断熱ブロック間の境界面に配置される。位置決めチョックの停止面は、列の少なくとも２つの断熱ブロックのそれぞれの外側面と相互作用して、位置決めチョックは、列内の少なくとも２つの断熱ブロックのそれぞれの外側面を突出要素からの所定距離に保つ。
【００３７】
有利なことに、固定および位置決め部材は、固定および位置決め部材の上方の支持面に位置する断熱ブロックの上側列と、固定および位置決め部材の下方の支持面に位置する断熱ブロックの下側列との間に配置され、位置決めチョックの停止面は、上側列の少なくとも２つの断熱ブロックのそれぞれの外側面と相互作用する。
【００３８】
一実施形態によると、固定および位置決め部材は、上側列の少なくとも２つの断熱ブロックの間の境界面と、下側列の少なくとも２つの断熱ブロックの間の境界面とに配置され、断熱ブロックを支持壁に留めるため、クランプ要素は、上側列の少なくとも２つの断熱ブロックおよび下側列の少なくとも２つの断熱ブロックと相互作用するように構成される。
【００３９】
したがって、固定および位置決め部材は、少なくとも４つの断熱ブロックを同時に固定するのに寄与し得る。
【００４０】
固定および位置決め部材の別の実施形態によると、突出部材は、断熱ブロックの縁部から距離を置いて、断熱ブロックの厚さに形成されたハウジング内で係合し、ハウジングが断熱ブロックの内側面によって画定され、内側面が位置決めチョックの停止面に当接する。
【００４１】
クランプ要素と突出要素は、様々な様式で製造することができる。実施形態によると、クランプ要素は、十字状または矩形プレートの形状を有する。一実施形態によると、突出要素は止めねじを含む。
【００４２】
支持壁は、液密断熱タンクが架設される担持構造の壁であってもよい。
【００４３】
この場合、断熱防壁は単独の防壁であってもよく、液密メンブレンは単独のメンブレンであってもよい。あるいは、断熱防壁は副断熱防壁であってもよく、液密メンブレンは副液密メンブレンであってもよく、
タンク壁は、副液密メンブレン上に配置される主断熱防壁と、主断熱防壁に担持される主液密メンブレンとをさらに備える。
【００４４】
好ましくは、厚さチョックは、固定および位置決め部材の突出要素の周囲に、タンク壁の厚さ方向で担持構造と位置決めチョックとの間に配置され、厚さチョックの内面は、間に突出要素を配置する断熱ブロック上でクランプ要素によって当接された状態を保つ。
【００４５】
支持壁は、副液密メンブレンで覆われた副断熱防壁であってもよい。この場合、断熱防壁は、タンク壁の主断熱防壁であり、主断熱防壁に担持された液密メンブレンは主液密メンブレンであり、タンク壁が、支持壁を形成する副液密メンブレンで覆われる副断熱防壁をさらに含む。
【００４６】
好ましくは、この場合、固着および位置決め部材の突出要素は、副断熱防壁に固定され、副液密メンブレンの内面に対して突出する。
【００４７】
このようなタンクは、たとえば液化ガスを貯蔵するための陸上貯蔵設備の一部を形成してもよいし、海岸または沖合の水上構造、特にメタン運搬船、ＬＰＧ輸送船、浮体式貯蔵再ガス化設備（ＦＳＲＵ）、浮体式生産貯蔵積出設備（ＦＰＳＯ）などに設置されてもよい。
【００４８】
一実施形態によると、低温液体製品の輸送用船舶は、船殻と、船殻に配置される上述のタンクとを備える。
【００４９】
一実施形態によると、本発明は、この種の船舶の積み降ろし方法も提供し、該方法では、低温流体製品が、断熱パイプラインを介して水上または陸上の貯蔵設備と船舶のタンクとの間で積み降ろしされる。
【００５０】
一実施形態によると、本発明は、低温流体製品の移送システムも提供し、該システムは、上述の船舶と、船舶の船殻に設置されるタンクを水上または陸上ベースの貯蔵設備と連結するように配置された断熱パイプラインと、水上または陸上ベースの貯蔵設備と船舶のタンクとの間で、断熱パイプラインを介して低温流体製品流を推進させるポンプと、を備える。
【図面の簡単な説明】
【００５１】
【図１】第１の実施形態による平面状のタンク壁を示す、液化ガスの輸送および／または貯蔵用タンクの一部の切取斜視図である。
【図２】一実施形態による固定部材の断面図である。
【図３】図２の固定部材の拡大斜視図である。
【図４】図１の平面状のタンク壁の詳細上面図である。
【図５】第２の実施形態による平坦なタンク壁を示す、液化ガスの輸送および／または貯蔵用タンクの一部分の切取斜視図である。
【図６】一実施形態によるクランプ部材の斜視図である。
【図７】図５の平面状のタンク壁の詳細上面図である。
【図８】一実施形態による様々な寸法の一連の位置決めチョックの上面図である。
【図９】別の実施形態による様々な寸法の一連の位置決めチョックの上面図である。
【図１０】剥離調節バンドを有する位置決めチョックの上面図である。
【図１１】調節バンドが部分的に取り外された、図１０の位置決めチョックの拡大斜視図である。
【図１２−１３】分解状態と組立状態の着脱可能な調節バンドを有する位置決めチョックの２つの斜視図である。
【図１４−１５】支持体の２つの対向面を示す支持体の２つの斜視図である。
【図１６】図１４および１５の支持体に装着することができる、様々な厚さの一連の調節インサートの斜視図である。
【図１７】第３の実施形態による平面状のタンク壁の断熱ブロックを示す図１８の線ＸＶＩＩ−ＸＶＩＩに沿った概略断面図である。
【図１８】図１７の断熱ケーソンの概略上面図である。
【図１９】インサートを支持体に装着することによって得られる位置決めチョックを示す、図７に類似する図である。
【図２０】第４の実施形態による平面状のタンク壁の上面図である。
【図２１】相互に交換される２つの位置における交換可能位置決めチョックの上面図である。
【図２２】第５の実施形態による平面状のタンク壁の上面図である。
【図２３】第６の実施形態による平面状のタンク壁の上面図である。
【図２４】メタン運搬船タンクまたはＬＰＧ輸送船のタンクと、このタンクの積み降ろし用ターミナルとを示す概略切取図である。
【発明を実施するための形態】
【００５２】
本発明は、限定ではなく単に例示のために提示されており、添付の図面を参照した本発明の複数の特定の実施形態に関する以下の説明でよりよく理解されるとともに、その他の目的、詳細、特徴および利点がより明確になるであろう。
【００５３】
図面は、液化ガスの輸送用船舶の二重船殻の内壁によって構成された担持構造のコンテキストに沿って以下説明する。この種の担持構造は、周知の多面体形状を有する。
【００５４】
担持構造の各壁は、それぞれのタンク壁を支持する。第１の実施形態によると、各タンク壁は、タンク内に貯蔵された流体、たとえば、−５０℃〜０℃の平衡温度を有するブタン、プロパン、プロペンなどの液化石油ガスと接触する単独の液密メンブレンを担持した単独の断熱防壁から成る。
【００５５】
図１〜図４を参照して、タンクの平面壁のさらなる詳細を説明する。これに関連して、平面壁は平面の２方向における周期的パターンに従って生成されるため、このパターンは、対象表面の寸法に応じて様々な範囲で反復され得ることに留意すべきである。したがって、図示される断熱要素８の数は限定されず、担持構造の幾何形状から生じる要件に応じていずれにせよ変更することができる。さらに、大きな範囲での平面壁では、障害物を迂回する、または特定の機器アイテムを収容するためにパターンを変更しなければならない領域が１つ以上局所的に存在する場合がある。図１は、第１の実施形態によるタンクの垂直または斜めの壁を示す。矢印１００は、タンク壁の最大傾斜方向を示し、上方に配向している。
【００５６】
タンク壁の断熱防壁は、担持壁１全体に固定された複数の平行六面体状の断熱要素８から成る。断熱要素８は共に平面を形成し、切取図で示される液密メンブレン１２が平面全体に固定される。断熱要素８は、規則的な矩形メッシュとして並置される。断熱要素８は、規則的な矩形メッシュの各節点に配置された固定部材１０を用いて担持壁１に固定される。
【００５７】
各断熱要素８は、底板１７と、２つの縦側板２１と、２つの横側板２２と、カバー板１９とを備える。これらの板は全て矩形であり、断熱要素の内側空間を画定する。底板１７とカバー板１９とは互いに平行に延び、担持壁１とも平行に延びている。側板２１、２２は、底板１７に対して垂直に延び、底板１７とカバー板１９を断熱要素の全周にわたって連結する。断熱要素の内部空間において、底板１７とカバー板１９との間に縦側板２１に平行に担持スペーサ（図示せず）を配置することができる。縦側板２１に対して垂直に延びる横側板２２は、貫通孔２３を有する。これらの貫通孔２３は、断熱防壁内で不活性ガスを循環させるように設計される。板および担持スペーサは、ねじ、止め釘、または大釘などの任意の適切な手段を用いて装着され、断熱パッキン（図示せず）を配置するケーソンを共に形成する。この断熱パッキンは、好ましくは、たとえば、約１０〜５０ｋｇ／ｍ−３のパーライトまたはグラスウールまたは低密度ポリマー発泡体などの非構造部材である。
【００５８】
底板１７は、縦側板２１から突出する縦方向境界１１と、横側板２２から突出する横方向境界５６とを含む。突起５７は、固定部材１０と相互作用するため、断熱要素８の角部で縦方向境界１１に担持される。
【００５９】
図１は、断熱要素８が載るマスチック６０のビードも示す。これらのマスチック６０のビードは好ましくは、担持壁１に対する断熱要素８の摺動間隙を提供するために非接着性である。断熱要素８の担持壁への固定は、４つの角部に配置された４つの固定部材１０を用いてそのたびごとに行われ、固定部材１０は４つの隣接する断熱要素８とそのたびごとに相互作用する。
【００６０】
図１に示すように、固定部材１０は、各断熱要素８の角部に配置される。断熱要素８の各突起５７は、各自の固定部材１０と相互作用し、１つの同じ支持部材１０が４つの隣接する断熱要素８の突起５７と相互作用する。隣接する断熱要素８の角部には、固定部材１０と並んだシャフトを付随的に形成する凹部も含まれる。このシャフトは、装着中の固定部材１０へのアクセスを可能にする。このシャフトは断熱パッキン４１で充填され、断熱要素８のカバー板と平面を形成するために閉鎖プレート４２で覆われる。
【００６１】
図２および３は、固定部材１０の一実施形態を示す。ピン３８は担持壁１に垂直に延びる。担持壁１に対向するピン３８の端部はねじ山を含む。矩形の支持プレート３９は、ピン３８が横断する中心孔を含む。ナット４０がピン３８のねじ端に装着される。したがって、各ピン３８の支持プレート３９は、ナット４０によって突起５７のタンク側の面への当接を維持する。図１は、支持プレート３９を断熱要素８上に弾性的に支持するために支持プレート３９とナット４０との間に挿入される多数の皿バネワッシャ３７も示す。
【００６２】
外端において、止めねじ３８は、中空ベース６２に収容された溝付きナット６１にねじ込まれる。溝付きナット６１を含む中空ベース６２は、予め担持壁１に溶接されている。よって、止めねじ３８の装着は簡易である。もしくは、止めねじ３８を担持壁１に直接溶接してもよい。
【００６３】
厚さチョック６３は、その上に載置される４つの隣接する断熱要素８の角部を収容するため、中空ベース６２を中心として担持壁１上に配置される。厚さチョック６３およびマスチック６０のビードは、担持壁の凹凸を吸収して、断熱要素８が載置される平面を提供する役割を果たす。
【００６４】
さらに、厚さチョック６３の上方に突出する位置決めチョック６４が、中空ベース６２を中心として厚さチョック６３に装着される。位置決めチョック６４は、断熱要素８の角部を位置決めするためのストッパとして機能する。より正確には、縦方向境界１１が縦側板２１の長さと正確に同じであり、横方向境界５６が横側板２２の長さと正確に同じであるため、角部の縦方向境界１１と横方向境界５６の端面は、底板１７の矩形輪郭に対して凹状切り欠き９を画定し、位置決めチョック６４の２つの対応する小平面に接触することができる２つの直交面を形成する。
【００６５】
位置決めチョック６４と厚さチョック６３は単独部品として製造することができるが、すべての寸法の組合せをカバーするには、非常に多くの数のチョックを必要とすることになる。
【００６６】
図４は、固定部材１０を備えたタンク壁の鉛直部の拡大上面図であり、位置決めチョック６４に対する４つの断熱要素８の位置をより正確に示す。厚さチョック６３および支持板３９は破線で描かれている。
【００６７】
最大傾斜方向１００に対して、断熱ブロックは、水平線に平行な複数の列、すなわち上側列３および下側列４状に配置される。固定部材１０は、上側列３と下側列４との間に、上側列３の２つの断熱要素８の間の境界面、および下側列４の２つの断熱要素８の間の境界面に配置される。よって、支持プレート３９は、４つの断熱要素８を支持壁１に留めるために、上側列３の２つの断熱要素８および下側列の２つの断熱要素８の両方と相互作用する。
【００６８】
位置決めチョック６４は、中空ベース６２の上側に配置され、担持壁の上向き方向に面する第１の停止面５を有し、この停止面は、上側列３の２つの断熱要素８の縦方向境界１１の端面を収容し当接する。この当接により、最大傾斜方向１００に沿って断熱要素８の確実かつ耐久性のある位置決めが確保される。
【００６９】
さらに、位置決めチョック６４は、図４の右側に位置する２つの断熱要素８の横方向境界５６の端面を収容し、当接側に面する第２の停止面６を有する。この当接により、最大傾斜方向１００に垂直な方向に沿って断熱要素８の確実かつ耐久性のある位置決めが確保される。位置決め間隙のため、位置決めチョック６４の対向面７と、図４の左側に位置する２つの断熱要素８の横方向境界５６の端面との間に隙間が残る。
【００７０】
当然ながら、断熱要素８の列が水平である場合、断熱要素８を右側に当接させるか左側に当接させるかの選択は技術的に等価である。一方、断熱要素８の列が斜めである場合、最も低い位置の角部が位置する断熱要素８の側に当接することが好ましい。よって、断熱要素８の位置決めチョック６４に対する停止位置は、断熱要素８の自重の影響下で安定した位置をとる。
【００７１】
断熱要素８を位置決めチョック６４に当接させることによって、固定部材１０は断熱要素８の位置決め機能も果たすことが分かる。上述の実施形態では、壁の全ての断熱要素８が確実に配置されるように、すべての固定部材１０が固定および位置決め部材であることが好ましい。一実施形態では、特に、固定部材１０がさらに多数であった場合、位置決めチョック６４を特定の固定部材１０から省略することができる。位置決めチョック６４は、上側列３の２つの断熱要素８に面した内側切り欠きを備えているため、位置決めチョック６４をベース６２上に配置する際の柔軟性を提供することができ、位置決めチョックの設置を容易にする。
【００７２】
図１に戻ると、液密メンブレン１２は、互いを覆うように並置された複数の金属プレートから成る。これらの金属プレートは好ましくは矩形である。金属プレートは、液密メンブレンの封止を確保するために共に溶接される。各断熱要素８は、各自の皿穴に収容され、カバー板にねじ止めまたはリベット止めされた２つの垂直固定バンド１４をタンク側面に含む。固定バンド１４は、好ましくは波形１３に平行に配置される。固定バンド１４は、固定バンドが収容される皿穴の中央部にわたって延びる。熱防護材５４は、皿穴の端部に収容される。
【００７３】
金属プレートの角部および縁部は、液密メンブレン１２を支持する断熱要素８の固定バンド１４と一列に配置される。液密メンブレン１２の金属プレートは、金属プレートが載置される固定バンド１４に溶接されている。熱防護材５４は、金属プレートをその境界に沿って相互に溶接する際の断熱要素８の劣化を防止する。熱防護材５４は、たとえばガラス繊維をベースとする複合材料からなる耐熱材料から製造される。固定バンド１４への金属プレートの溶接により、液密メンブレン１２を断熱防壁に保持することができる。
【００７４】
具体的には、タンク内の液化ガスの搭載に起因する熱収縮に応答してタンクが受ける様々な応力に応じて液密メンブレンを変形させるため、金属プレートはタンクの内側に配向された複数の波形１３を含む。より具体的には、液密メンブレン１２は、第１の一連の波形１３と、第２の一連の波形１３とを含み、規則的な矩形パターンを形成する。
【００７５】
図１は、各波形金属プレートが、４つの縁のうちの２つの縁に沿って隆起境界領域６６に厚さオフセットを含み、他の２つの縁が平坦であることを示す。隆起境界領域６６は、隣接する金属プレートの平坦境界領域を覆う役割を果たし、２つの金属プレートの間に液密リンクを確保するため、最終的には連続的に溶接される。隆起境界領域６６は、段部とも呼ばれる折り目を形成する操作によって得られる。
【００７６】
単独の液密メンブレンを有するタンクを製造するための上記の技術は、たとえば、陸上設備またはメタン運搬船などの水上設備における液化天然ガス（ＬＮＧ）用の二重メンブレンタンクを製造するための各種容器で使用することができる。これに関連して、上の図面に示される液密メンブレンは副液密メンブレンであると考えることができるため、主断熱防壁および主液密メンブレン（図示せず）もこの副液密メンブレンに追加しなければならない。よって、この技術は、複数の断熱防壁および重畳された液密メンブレンを有するタンクにも適用することができる。
【００７７】
より具体的には、二重メンブレンタンクに適用される平面状のタンク壁の第２の実施形態を、図５〜７を参照して説明する。
【００７８】
図５は、流体の貯蔵用の液密断熱タンクの多層構造を示す切取図である。
【００７９】
タンク壁は、タンクの外側から内側に向かって、担持構造２０３に固定された並置断熱ブロック２０２を含む副断熱防壁２０１と、副断熱防壁２０１の断熱ブロック２０２に担持された副液密メンブレン２０４と、主保持部材によって副断熱防壁２０１の断熱ブロック２０２に固定された並置断熱ブロック２０６を含む主断熱防壁２０５と、主断熱防壁２０５の断熱ブロック２０６に担持され、タンク内に収容された極低温流体と接触するように設計された主液密メンブレン２０７と、を備える。
【００８０】
支持構造２０３は、具体的には、自立型金属プレート、またはより一般的には、適切な機械的特性を有する任意のタイプの剛性隔壁であってもよい。支持構造２０３は、具体的には、船舶の船殻または二重船殻によって形成されてもよい。支持構造２０３は、タンクの一般的な形状、通常は多面体形状を画定する複数の壁を含む。
【００８１】
副断熱防壁２０１は、接着樹脂ビード（図示せず）によって担持構造２０３に接着結合された複数の断熱ブロック２０２を含む。樹脂ビードは、断熱ブロック２０２の固着を確保するために、それ自体十分な粘着性を有していなければならない。あるいは、または組み合わせて、断熱ブロック２０２は、断熱ブロック２０２の周囲または断熱ブロック２０２の内側に配置される前述の固定部材１０または同様の機械的素子によって固定されてもよい。断熱ブロック２０２は、略直方体形状を有する。
【００８２】
図５に示すように、断熱ブロック２０２は、機能的な実装間隙を確保する隙間によって相互に分離された平行な列状に並置される。
【００８３】
副断熱防壁の断熱ブロック２０２は、たとえば止めねじまたは金属ロッドなどの主固定部材２１９を担持し、主断熱防壁は主固定部材に固定された複数の並置された直方体ブロック２０６を含む。
【００８４】
副液密メンブレン２０４は、たとえば、略矩形の複数の波形金属プレートから成る。波形金属プレートは、副断熱防壁２０１の断熱ブロック２０２に対して偏位して配置され、各波形金属プレートは、少なくとも４つの隣接する断熱ブロック２０２にわたって延在する。
【００８５】
副液密メンブレン２０４は、主固定部材２１９が副液密メンブレン２０４の上方に突出するように切欠きを備え、副液密メンブレン２０４の切欠きの縁部は、主固定部材２１９の周囲の副断熱防壁の断熱ブロック２０２の金属固定片に封止するように溶接される。好ましくは、これらの切り欠きは、矩形プレートの縁部に形成されるが、矩形プレート内に配置される平面部に形成されてもよい。
【００８６】
たとえば、断熱ブロック２０２はそれぞれ、カバー板を構成する剛性内側プレートと、底部板を構成する剛性外側プレートとの間に挟まれた断熱ポリマー発泡体層を含む。剛性内側および外側プレートはたとえば、断熱ポリマー発泡体層に接着結合された合板プレートである。断熱ポリマー発泡体は、具体的には、ポリウレタン系発泡体であってもよい。ポリマー発泡体は有利なことに、熱収縮の低減に寄与するガラス繊維で強化される。
【００８７】
内側プレート２１０は、溝のネットワークを形成するように互いに直交する２つの一連の２つの溝を有する。一連の溝はそれぞれ、断熱ブロック２０２の２つの対向側面に平行である。溝５は、副液密防壁２０４の金属シート上に形成され、タンクの外側に向かって突出する波形１３を収容することを目的とする。
【００８８】
各波形金属シートは、第１の方向に延びる第１の一連の平行な波形１３と、第２の方向に延びる第２の一連の平行な波形１３とを有する。一連の波形１３の方向は垂直である。一連の波形１３はそれぞれ、波形金属プレートの２つの対向する縁部に平行である。波形１３は、ここでは、タンクの外側に向かって、すなわち、担持構造２０３に向かって突出している。波形金属プレートは、波形１３の間に複数の平面部を含む。２つの波形１３間の各交点において、金属シートは節点領域を含む。節点領域は、タンクの外側に向かって突出する頂部を有する中央部を含む。
【００８９】
副液密メンブレン２０４は、たとえば、Ｉｎｖａｒ（登録商標）、すなわち、膨張係数が典型的には１．２．１０−６〜２．１０−６Ｋ−１である鉄とニッケルの合金、または膨張係数が典型的には約７．１０−６Ｋ−１であるマンガン含有量が高い鉄の合金から作製される。あるいは、副液密メンブレン２０４は、ステンレス鋼またはアルミニウムで作製することもできる。
【００９０】
たとえば、国際特許公開ＷＯ２０１６０４６４８７号に教示されるように、主断熱防壁２０５および主液密メンブレン２０７を製造するために様々な既知の技術を使用することができる。
【００９１】
図５に示すように、主断熱防壁２０５は、ここでは、複数の略直方体の断熱ブロック２０６を含む。断熱ブロック２０６は、副断熱防壁２０１の断熱ブロック２０２に対して偏位しているため、各断熱ブロック２０６は、副断熱防壁２０１の複数の断熱ブロック２０２、たとえば、４つまたは８つの断熱ブロック２０２にわたって延在する。
【００９２】
第１の実施形態の断熱要素８と同様に、断熱ブロック２０６がフランジ止めによってのみ保持されている場合、副液密メンブレン２０４にわたって摺動することによって移動し易くなる。これを防止するため、少なくとも非水平壁でまたは全ての壁にわたって、主固定部材２１９の少なくともいくつか、たとえば、断熱ブロック２０６の底部の角部に位置する主固定部材が、壁の断熱ブロック２０６を確実に位置決めするために主固定および位置決め部材として構成される。そのため、第１の実施形態の位置決めチョック６４と同様に、位置決めチョックを配置することができる。
【００９３】
主断熱防壁２０５の断熱ブロック２０６を、副断熱防壁２０１に担持された主固定および位置決め部材に固定することは、一実施形態では図７に示すように達成することができる。図７は、図５の領域ＶＩＩに沿った主断熱防壁２０５の上面図であり、主固定および位置決め部材の一実施形態を示す。
【００９４】
主固定および位置決め部材は、４つの断熱ブロック２０６の隣接角部間に形成された四角形の凹部３０に、副液密メンブレン２０４に対して突出するピン１５を備える。凹部３０は、各断熱ブロック２０６の各角部に形成された凹状切り欠き７によって形成される。断熱ブロック２０６は、凹状切り欠き７に隣接する剛性外側プレートの領域２９を露出させる斜め溝１８を含む。
【００９５】
図７に示す十字状のクランプ要素６５は、斜め溝１８内に収容され、溝の内側に露出した外側プレートの領域２９を支持するタブ６８を含み、タブ６８と副断熱防壁２０１の断熱ブロック２０２とで外側プレートを挟む。クランプ要素６５はピン１５に係合している。さらに、ナット（図示せず）が、クランプ要素６５を固定するようにピン１５のねじ山と相互作用する。
【００９６】
位置決めチョック１６は、クランプ要素６５と、凹部３０の底部で露出している副液密メンブレン２０４の部分との間でピン１５に係合される。このため、クランプ要素６５は、中央部６７を含む略ドーム型の形状で図６に示すように形成することができ、中央部の下に位置決めチョック１６を収容することができ、タブ６８が中央部６７に対してタンクの外側に向かってＬ字状に屈曲している。各タブ６８の端部は、外側プレートの領域２９で平坦になるように、中央部６７と平行な部分を含む。中央部６７はピン１５を通過させる穴６６を含む。
【００９７】
位置決めチョックは、様々な形で製造することができる。図７および図８に示す実施形態では、位置決めチョック１６は、位置決めチョック１６をピン１５の適切な部分にスナップ嵌めさせる弾性間隙を達成するため、スロット２１を備えた穴２０を有する。平面状の停止面２２は、穴２０から所定の距離に配置され、作動中にタンク壁の上向き方向に向く。位置決めチョックよりも高い位置に配置された２つの断熱ブロック２０６の外側プレートの側面は、平面状の停止面２２に当接する。この側面は、ここでは、断熱ブロック２０６の角部に形成された凹状切り欠き７に位置する。
【００９８】
図８は、断熱ブロック２０６の側面とピン１５との間の所定距離を調節するため、様々な寸法の一群の位置決めチョック１６を示す。この群は、ここでは、たとえば３ミリメートルの目盛りを有する所定のスケールに沿って規則的に寸法を増やしながら製造することができる。組立作業を容易にするために、位置決めチョック１６の寸法を示すマーク２４を印刷または刻印することができる。マーク２４は、ここでは、マークされた公称寸法「０」からの分離分の寸法を示す。マーク２４の代わりに、またはマークと組み合わせて色コードを使用してもよい。
【００９９】
図９に示す実施形態では、位置決めチョック２５は対称ではなく、ピン１５を収容する穴２６と、穴２６から所定の第１の距離に位置し、第１の方向に配向された第１の停止面２７と、穴２６から所定の第２の距離に位置し、第１の停止面２７に対向する第２の方向に配向された第２の停止面２８と、を含む。
【０１００】
位置決めチョック２５は、第１の停止面２７または第２の停止面２８が上方に向き、より高い位置にある断熱ブロック２０６の側面を収容するように、相互に１８０°回転させた２つの位置でピン１５に係合することができる。もしくは、停止面２７および２８は、相互に対して９０度またはその他の角度で配向されてもよい。より多くの停止面を想定することもできる。
【０１０１】
図９は、様々な寸法の一群の位置決めチョック２５を示しており、各例で、２つの調節に対応する２つの寸法が提供されることが分かっている。位置決めチョック１６と同様、２つの寸法を示すマーク２４を使用することができる。
【０１０２】
図１０および図１１は、第１の停止面として構成された側面３３と、第１の停止面に装着される所定厚の調節バンド３４とを有する支持体３２を備える位置決めチョック３１を示す。調節バンド３４の表面３５は、調節バンドの所定厚だけ第１の停止面から離間した第２の停止面として構成される。調節バンド３４は、支持体３２に脱着可能に装着されている。よって、調節バンド３４が存在するか否かに応じて、位置決めチョック３１は２つの調節に対応する２つの寸法を提供する。位置決めチョック１６と同様、２つの寸法を示すマーク２４を使用することができる。
【０１０３】
図１２および図１３の実施形態では、位置決めチョック４４は、穴４６を有する支持体４５と、停止面４８と穴４６との距離を調節するために支持体４５に脱着可能に重ね合わされた複数の調節バンド４７とを備える。調節バンド４７は、ここではねじ４９で装着されているが、他の組立方法も可能である。
【０１０４】
図１４〜図１６および図１９に示す実施形態では、位置決めチョック５０は、蟻ほぞ５２として構成された２つの対向側面を有する支持体５１を備える。もしくは、２つ以上または２つ以下の蟻ほぞを設けることもできる。調節インサート５３は、調節インサート５３を支持本体５１に脱着可能に装着するため、蟻ほぞ５２の一方または他方に係合するのに適した蟻溝５４として構成される側面を有する。調節インサート５３は、蟻溝５４に対向して配置される停止面として構成された側面５５を有する。
【０１０５】
図１４および図１５は、支持体５１の２つの面を示す。図１６〜図１８は、所定群の様々な寸法を有する３つの調節インサート５３を示す。図１９は、断熱ブロック２０６をピン１５に対して位置決めするための位置決めチョック５の使用を示す、図７と類似の図である。
【０１０６】
図２１は、２つの異なる位置において、上述のタンク壁に使用することができる固定および位置決め部材８２を概略的に示す。固定および位置決め部材８２は、複数の並置された断熱ブロック間に配置され、タンクの内部空間に向かって突出する２つの突出要素８３、８４を含む。
【０１０７】
位置決めチョック８５は、２つの突出要素８３、８４を収容するために、厚さ方向に位置決めチョック８５を横切る２つのハウジング８６、８７を有する。第１の停止面８８は、ハウジング８６の中心から第１距離ｂに位置し、第１の停止面８８に平行な第２の停止面８９は、ハウジング８７の中心から第２距離Ｂに位置する。
【０１０８】
位置決めチョック８５は、図示される２つの位置で２つの突出要素８３、８４に係合していてもよく、第２の位置は第１の位置と交換可能である。
【０１０９】
図２０は、断熱ブロック９１の角部に配置された固定および位置決め部材９０を使用する別のタンク壁を概略的に示す。液密メンブレンは省略されている。
【０１１０】
ここで、断熱ブロック９１は、角部を斜めに切断した矩形によって形成される八角形の輪郭を有する。断熱ブロック９１の下に位置する傾斜面９２は、２つの位置決めチョック９３の同じく斜めの停止面９５と相互作用する。
【０１１１】
位置決めチョック９３およびクランプ要素（図示せず）を保持するために、固定および位置決め部材９０は、ここでは５つの突出ロッド９４を含み、各位置決めチョック９３はその２つに係合している。しかしながら、より多くまたはより少ない数の突出ロッドを想定することもできる。そのほかの部分の実装は、上述の実施形態と同様であってもよい。
【０１１２】
断熱ブロックが配列される周期的なパターンは、必ずしも規則的な矩形メッシュではない。図２２および図２３は異なるパターンを示しており、断熱ブロックは矩形輪郭を有し、長さが最大傾斜方向１００に配向された断熱ブロック９６と、幅が最大傾斜方向１００に配向された断熱ブロック９７とを備え、両図では相互に入れ替えられる。
【０１１３】
図２２および図２３では、断熱ブロック９７の下に位置する側面９８は、断熱ブロック９７の２つの縦端部に位置する２つの位置決めチョック９９と相互作用する。位置決めチョーク９９およびクランプ要素（図示せず）を保持するため、固定および位置決め部材１０１は、ここでは５つまたは７つの突出ロッド１０２を備え、各位置決めチョック９９はその２つに係合している。しかしながら、より多くまたはより少ない数の突出ロッドを想定することもできる。そのほかの部分の実装は、上述の実施形態と同様であってもよい。
【０１１４】
位置決めチョック９９は、図２２および図２３の２つの異なる配向で使用される矩形プレートである。図２２において、停止面は位置決めチョック９９の幅に平行である。よって、位置決めチョック９９の縦寸法は、断熱ブロック９７の固定および位置決め部材１０１に対する位置決めを調節するように機能する。
【０１１５】
図２３において、停止面は位置決めチョック９９の長さに平行である。よって、位置決めチョック９９の横寸法は、断熱ブロック９７の固定および位置決め部材１０１に対する位置決めを調節するように機能する。
【０１１６】
上述した位置決めチョックは、フランス特許第２８８７０１０、フランス特許第２９７３０９８または国際特許公開ＷＯ２０１３０９３２６２号に教示される固定部材のように異なって製造された固定部材と同様に使用することができる。
【０１１７】
図１７および図１８は、先の実施形態とは異なり、位置決めチョック３６４が断熱ブロック３０８の内側面と相互作用するタンク壁の別の実施形態を示す。図１と類似または同一の要素には同じ参照符号に３００を足して付している。
【０１１８】
より詳細には、断熱ブロック３０８は、支持面３０１を覆う一連の反復断熱ブロックの一部を成し、支持面には、断熱ブロック３０８を固定する役目を果たすロッド３３８が突出して固定されている。その後に固定されるロッド３３８およびクランプ部材３３９を収容するため、断熱ブロック３０８は、縁部からある距離をおいて、たとえば、断熱ブロック３０８の厚さ方向に断熱ブロック３０８の中間領域に形成されたハウジングを備える。
【０１１９】
図示される例では、断熱ブロックは、たとえば合板製のカバー板３１９と底板３１７との間に挟まれたポリウレタン発泡体などの断熱材料のブロック５８を含む。ここでは、クランプ要素３３９が装着位置に圧力を加える底板の領域６９を露出させるため、ハウジングは、カバー板３１９と断熱材料ブロック５８の厚さ全体を横切るシャフト５９を含む。
【０１２０】
ハウジングは、ロッド３３８を収容するため、シャフト５９の延長部で底板３１７を貫通して形成された穴３０９をさらに含む。断熱ブロック３０８をロッド３３８に対して位置決めするため、位置決めチョック３６４はロッド３３８に係合し、穴３０９の内側面と相互作用する。よって、ここでは、位置決めチョック３６４と接触するのは底板３１７の内側面である。
【０１２１】
変形例では、位置決めチョック３６４は、具体的には、位置決めチョックが接触する断熱材料の領域全体に保護カバーを設けることによって、クランプ要素３３９の上方または下方で、シャフト５９の上方に配置することができる。クランプ要素３３９を配置した後、シャフト５９には断熱パッキン３４１が充填される。
【０１２２】
位置決めチョック３６４は、穴３０９の内側面の１つ以上の領域と接触するように設計された異なる形状を有してもよい。図１８の例では、楕円形の位置決めチョック３６４は、最大傾斜方向１００に対して斜めに配向される２つの停止領域を有する。この例では、楕円形は、チョックを１８０度回転させることによって２つの異なるケースで板を位置決めするようにチョックの使用するために対称ではない。断面線ＸＶＩＩ−ＸＶＩＩは、２つの停止領域の１つを通過する。他の形状、具体的には規則的または不規則的な多角形を想定することができる。
【０１２３】
簡略化のため、上述の位置決めチョックは、好ましくは射出成形プラスチック、たとえば、高密度ポリエチレンから製造される。他の材料、特に金属も使用することができる。さらに、固定部材のロッド、ピン、または他の突出要素への係合によって、位置決めチョックの装着は極めて迅速に達成することができる。
【０１２４】
メタン運搬船７０の切取図である図２４は、船舶の二重船殻７２内に装着された略プリズム状の液密断熱タンク７１を示す。タンク７１の壁は、タンクに含まれた液化ガスと接触することを目的とした主液密防壁と、主液密防壁と船舶の二重船殻７２との間に配置された副液密防壁と、主液密防壁と副液密防壁との間、および副液密防壁と二重船殻７２との間にそれぞれ配置された２つの断熱防壁と、を備える。簡易版では、船舶は単一船殻を備える。
【０１２５】
それ自体既知な方法で、船舶の上部デッキに配置された積み降ろしパイプライン７３は、液化ガスの貨物をタンク７１との間で移送するため、適切なコネクタによって海上または港湾ターミナルと連結することができる。
【０１２６】
図２４は、積み降ろしステーション７５と、水中パイプライン７６と、陸上設備７７と、を備える海上ターミナルの一例を示す。積み降ろしステーション７５は、移動アーム７４と、移動アーム７４を支持するタワー７８とを備えた固定海上設備である。可動アーム７４は、積み降ろしパイプライン７３に連結することができる断熱フレキシブルホース７９の束を担持する。配向可能な可動アーム７４は、あらゆるサイズのメタン運搬船に適合させることができる。連結パイプ（図示せず）がタワー７８の内側に延在する。積み降ろしステーション７５によって、メタン運搬船７０と陸上設備７７との間の積み降ろしを行うことができる。積み降ろしステーションは、液化ガス貯蔵タンク８０と、水中パイプライン７６によって積み降ろしステーション７５に連結される連結パイプ８１を含む。水中パイプライン７６は、積み降ろし中にメタン運搬船７０が海岸から長距離にとどまることができるように、長距離、たとえば５ｋｍにわたって、積み降ろしステーション７５と陸上設備７７との間で液化ガスを移送することができる。
【０１２７】
液化ガスの移送に必要な圧力を発生させるため、船舶７０に搭載されたポンプ、および／または陸上設備７７に設けられたポンプ、および／または積み降ろしステーション７５に設けられたポンプが使用される。
【０１２８】
本発明は、いくつかの特定の実施形態に関連して記載されているが、それに限定されるものではなく、記載された手段、および本発明の範囲に属する限りそれらの組み合わせの技術的等価物をすべて包含する。
【０１２９】
「備える」または「含む」という動詞およびその活用形の使用は、請求項に記載された要素またはステップ以外の要素の存在を排除するものではない。
【０１３０】
請求項において、括弧内の参照記号は、請求項の限定として解釈されるべきではない。
【図１】
2019523368.tif 000003
【図２】
2019523368.tif 000004
【図３】
2019523368.tif 000005
【図４】
2019523368.tif 000006
【図５】
2019523368.tif 000007
【図６】
2019523368.tif 000008
【図７】
2019523368.tif 000009
【図８】
2019523368.tif 000010
【図９】
2019523368.tif 000011
【図１０】
2019523368.tif 000012
【図１１】
2019523368.tif 000013
【図１２】
2019523368.tif 000014
【図１３】
2019523368.tif 000015
【図１４】
2019523368.tif 000016
【図１５】
2019523368.tif 000017
【図１６】
2019523368.tif 000018
【図１７】
2019523368.tif 000019
【図１８】
2019523368.tif 000020
【図１９】
2019523368.tif 000021
【図２０】
2019523368.tif 000022
【図２１】
2019523368.tif 000023
【図２２】
2019523368.tif 000024
【図２３】
2019523368.tif 000025
【図２４】
2019523368.tif 000026
【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
タンクの内部空間を画定する複数のタンク壁を備えた液密断熱タンクであって、前記タンク壁が少なくとも１つの非水平タンク壁を含み、前記非水平タンク壁が、
非水平支持壁（１、２０４）と、
前記支持壁の内面に配置された複数の固定部材（１０、２１９）と、
前記支持壁の内面に繰り返しパターンで並置され、前記固定部材によって前記支持壁に固定された複数の断熱ブロック（８、２０６、９１、９６、９７、３０８）を含む断熱防壁と、
前記断熱防壁に担持された液密メンブレン（１２、２０７）と、
を備え、
前記固定部材が、固定および位置決め部材を備え、前記固定および位置決め部材が、断熱ブロック内または横の船舶の内部空間に向かって突出する突出要素（６２、３８、１５、９４、１０２、３３８）と、
前記突出要素に直接または間接的に装着され、前記断熱ブロックを前記支持壁に留めるため、前記突出要素が内側または横に配置される前記断熱ブロック（８、２０６、９１、９６、９７、３０８）を支持するように、前記突出要素に対して横方向に延在するクランプ要素（３９、６５）と、
前記突出要素（６２、３８、１５、９４、１０２）と相互作用し、前記タンク壁の厚み方向に前記クランプ要素（３９、６５、３３９）の上方または下方に配置された位置決めチョック（６４、１６、２５、３１、４４、５０、９３、８５、９９、３６４）であって、前記支持壁の上向き方向に面する停止面（５、２２、２７、２８、３３、３５、４８、５５、８８、８９、９５）を有し、前記上向き方向が前記支持壁の最大傾斜方向（１００）に平行または斜めである位置決めチョックと、
を備え、
前記位置決めチョックが、前記断熱ブロックの横面を前記突出要素（６２、３８、１５、９４、１０２、３３８）から所定距離に保つように、前記突出要素が内側または横に配置される前記断熱ブロック（８、２０６、９１、９６、９７、３０８）の側面（１１、７、９２、９８、３０９）が、前記位置決めチョックの停止面に当接する、タンク。
【請求項２】
固定および位置決め部材の前記突出要素（６２、３８、１５、９４、１０２）が、前記複数の並置された断熱ブロックの間に配置され、前記突出要素（６２、３８、１５、９４、１０２）を間に配置する前記断熱ブロックの少なくとも１つが、前記位置決めチョックの停止面に当接する外側面（１１、７、９２、９８）を有する、請求項１に記載のタンク。
【請求項３】
固定および位置決め部材の前記突出要素（３３８）が、前記断熱ブロックの縁部から距離を置いて、前記断熱ブロック（３０８）の厚さに形成されたハウジング（３０９、５９）内で係合し、前記ハウジング（３０９、５９）が前記断熱ブロックの内側面によって画定され、前記内側面が前記位置決めチョック（３６４）の停止面に当接する、請求項１または２に記載のタンク。
【請求項４】
前記停止面と前記少なくとも１つの断熱ブロックの側面とが、平面状であり平行である、請求項１〜３のいずれか一項に記載のタンク。
【請求項５】
前記位置決めチョック（２５）が、前記突出要素を収容するためのハウジング（２６）と、前記ハウジングから所定の第１の距離に位置し、前記ハウジングを中心に第１の方向に配向された第１の停止面（２７）と、前記ハウジングから所定の第２の距離に位置し、前記ハウジングを中心に第２の方向に配向された第２の停止面（２８）と、を備え、前記位置決めチョックが、前記第１の停止面が前記支持壁の上向き方向を向く第１の位置と、前記第２の停止面が前記支持壁の上向き方向を向く第２の位置とで前記突出素子に係合可能となるように構成される、請求項１〜４のいずれか一項に記載のタンク。
【請求項６】
前記第１の停止面（２７）および前記第２の停止面（２８）が、前記ハウジングの両側に配置された前記位置決めチョックの２つの平行な対向面である、請求項５に記載のタンク。
【請求項７】
前記固定および位置決め部材が、前記複数の並置された断熱ブロックの間に配置され、前記タンクの内側空間に向けて突出する少なくとも２つの突出要素（８３、８４）を備え、
前記位置決めチョック（８５）が、前記２つの突出要素を収容するために前記位置決めチョックの厚さ方向に前記位置決めチョックを横切る２つのハウジング（８６、８７）と、前記ハウジングのうちの第１のハウジングから所定の第１の距離（ｂ）に位置する第１の停止面（８８）と、前記ハウジングのうち第２のハウジングから所定の第２の距離（Ｂ）に位置する、前記第１の停止面と平行な第２の停止面（８９）と、を備え、前記位置決めチョックが、前記断熱ブロックの側面を収容するために前記第１の停止面が前記支持壁の上向き方向に向く第１の位置と、前記断熱ブロックの側面を収容するために前記第２の停止面が前記支持壁の上方に向く第２の位置とで、前記２つの突出要素に係合可能となるように構成され、前記第２の位置が前記第１の位置に対して変更される、請求項１〜４のいずれか一項に記載のタンク。
【請求項８】
前記位置決めチョック（３１）が、第１の停止面（３３、５２）として構成された側面を有する支持体（３２、４５、５１）と、前記第１の停止面と平行に前記第１の停止面に所定の厚さで搭載された調節インサート（３４、４７、５３）と、を備え、前記調節インサートの表面が、前記調節インサートの所定厚さ分、前記第１の停止面から離間した第２の停止面（３５、５５）として構成され、前記調節インサート（３４、４７、５３）が、前記第１の停止面を選択的に露出させる、または前記調節インサートで前記第１の停止面を覆うために前記支持体に着脱自在に装着されて、前記少なくとも１つの断熱ブロックの側面が、前記位置決めチョックの前記第１または第２の停止面に選択的に当接する、請求項１〜７のいずれか一項に記載のタンク。
【請求項９】
前記調節インサート（３４、４７、５３）が、接着結合、ねじ止め、スナップ嵌め、または入れ子によって前記支持体に装着される、請求項８に記載のタンク。
【請求項１０】
前記調節インサート（３４、４７）が調節バンドとして構成され、前記少なくとも１つの断熱ブロックの側面と前記突出要素との間の所定距離の調節を可能にするために、前記位置決めチョック（４４）が、前記調節バンドに着脱自在に重ねられた１つ以上の追加の調節バンド（４７）をさらに備える、請求項８または９に記載のタンク。
【請求項１１】
前記追加調節バンド（４７）が、接着結合、ネジ止め、スナップ嵌め、または入れ子によって、下にある調節バンドに装着される、請求項１０に記載のタンク。
【請求項１２】
前記調節インサート（５３）が、前記少なくとも１つの断熱ブロックの側面と突出要素との間の所定距離を調節するために、様々な寸法の所定群の調節インサートから選択される、請求項８〜９に記載のタンク。
【請求項１３】
前記位置決めチョック（１６、２５）が単独の部品として形成される、請求項１〜７のいずれか一項に記載のタンク。
【請求項１４】
前記位置決めチョック（１６、２５）が、前記少なくとも１つの断熱ブロックの側面と前記突出要素との間の前記所定距離を調節するため、様々な寸法の所定群の位置決めチョックから選択される、請求項１３に記載のタンク。
【請求項１５】
前記断熱ブロック（８、２０６、９１）が、複数の相互に平行な列（３、４）状に配置され、固定および位置決め部材（１０、１５）が、列の少なくとも２つの断熱ブロック（８、２０６）間の境界面に配置され、前記位置決めチョック（６４、１６、２５、３１、４４、５０）の前記停止面（５、２２、２７、２８、３３、３５、４８、５５、８８、８９）が該列の少なくとも２つの断熱ブロックの外側面と相互作用して、前記位置決めチョックが、該列の少なくとも２つの断熱ブロックのそれぞれの外側面を前記突出要素から所定の距離に保つ、請求項１〜１４のいずれか一項に記載のタンク。
【請求項１６】
前記固定および位置決め部材（１０、１５）が、前記固定および位置決め部材の上方の支持面に位置する前記断熱ブロックの上側列（３）と、前記固定および位置決め部材の下方の支持面に位置する前記断熱ブロックの下側列（４）との間に配置され、前記位置決めチョック（６４、１６、２５、３１、４４、５０）の前記停止面（５、２２、２７、２８、３３、３５、４８、５５、８８、８９）が、前記上側列の少なくとも２つの断熱ブロックのそれぞれの外側面と相互作用する、請求項１５に記載のタンク。
【請求項１７】
前記固定および位置決め部材（１０、１５）が、前記上側列（３）の少なくとも２つの断熱ブロック（８、２０６）の間の境界面と、前記下側列（４）の少なくとも２つの断熱ブロック（８、２０６）の間の境界面とに配置され、前記断熱ブロックを支持壁に留めるため、前記クランプ要素（３９、６５）が、前記上側列の少なくとも２つの断熱ブロックおよび前記下側列の少なくとも２つの断熱ブロックと相互作用するように構成される、請求項１６に記載のタンク。
【請求項１８】
前記クランプ要素（６５）が十字状である、請求項１７に記載のタンク。
【請求項１９】
前記支持壁が、前記液密断熱タンクを架設する担持構造の壁（１）である、請求項１〜１８のいずれか一項に記載のタンク。
【請求項２０】
厚さチョック（６３）が、前記固定および位置決め部材（１０）の突出要素（６２、３８）の周囲に、前記タンク壁の厚さ方向に前記担持構造と前記位置決めチョック（６４）との間に配置され、前記厚さチョック（６３）の内面が、間に前記突出要素を配置する前記断熱ブロック（８）上で、前記クランプ要素によって当接された状態を保つ、請求項１９に記載のタンク。
【請求項２１】
前記断熱防壁がタンク壁の主断熱防壁（２０５）であり、前記主断熱防壁に担持される液密メンブレンが主液密メンブレン（２０７）であり、前記タンク壁が副液密メンブレン（２０４）で覆われる副断熱防壁（２０１）をさらに含む、請求項１〜２０のいずれか一項に記載のタンク。
【請求項２２】
前記固定および位置決め部材の突出要素（１５）が、副断熱防壁（２０１）に固定され、副液密メンブレン（２０４）の内面よりも突出している、請求項２１に記載のタンク。
【請求項２３】
各断熱ブロック（８、２０６）が底板（１７、２９）を含み、前記位置決めチョックに当接する前記断熱ブロックの前記側面（１１、７）が、前記底板の側面を含む、請求項１〜２２のいずれか一項に記載のタンク。
【請求項２４】
前記底板（１７、２９）が、前記底板の４つの角部に凹状切り欠き（９、７）を有する全体的に矩形形状を有し、前記底板の凹状切り欠きの外側面が前記位置決めチョック（６４、１６、２５、３１、４４、５０）に当接する。請求項２３に記載のタンク。
【請求項２５】
前記底板の凹状切り欠き（９）が、前記底板（１７）の長さ方向および幅方向にそれぞれ平行な２つの外側面（１１、５６）を有し、前記位置決めチョック（６４）の２つの互いに直交する停止面（５、６）に当接するように配置される、請求項２４に記載の装置。
【請求項２６】
前記底板の凹状切り欠きが、前記底板の長さ方向および幅方向に対して斜めの外側面（９２）を含み、前記位置決めチョック（９３）の停止面（９５）に当接して配置される、請求項２４に記載のタンク。
【請求項２７】
低温流体製品の輸送用の船舶（７０）であって、船殻（７２）と、前記船殻内に配置される請求項１〜２６のいずれか一項に記載のタンクと、を備える船舶。
【請求項２８】
低温流体製品が、水上または陸上ベースの貯蔵設備（７７）と前記船舶のタンク（７１）との間で、断熱パイプライン（７３、７９、７６、８１）を介して搬送される、請求項２７に記載の船舶（７０）の積み降ろし方法。
【請求項２９】
請求項２７に記載の船舶（７０）と、前記船舶の船殻に設置された前記タンク（７１）を水上または陸上ベースの貯蔵設備（７７）と連結するように配置される断熱パイプライン（７３、７９、７６、８１）と、前記水上または陸上ベースの貯蔵設備と前記船舶のタンクとの間で、前記断熱パイプラインを介して低温流体製品流を推進させるポンプと、を備える低温流体製品移送システム。
【国際調査報告】
2019523368.tif 000027
2019523368.tif 000028
2019523368.tif 000029
2019523368.tif 000030
2019523368.tif 000031
2019523368.tif 000032
2019523368.tif 000033
2019523368.tif 000034
2019523368.tif 000035
2019523368.tif 000036
2019523368.tif 000037
2019523368.tif 000038
2019523368.tif 000039